(57)【要約】      （修正有）【課題】中継搬送手段が長い場合や湾曲している場合であっても、搬送手段から中継搬送手段の一端側に搬送された搬送物を、移動量がそれほど大きくないアクチュエータを利用して中継搬送手段の他端側へ搬送することが可能な搬送装置及び搬送方法を提供する。【解決手段】第一受取部１５Ａで受け取った搬送物６０、６２を第一排出部１５Ｂへ搬送する第一搬送手段１５と、第一排出部から排出された搬送物を受け取る中間受取手段と、中間受取手段より下方に位置する下方待機位置と、中継受取部２７Ａによって搬送物を中間受取手段から上方に持ち上げかつ搬送物を搬送物の自重を利用して自身の中継引渡部２７Ｂ側へ搬送する上方搬送位置と、の間を昇降可能であり、中継受取部側から中継引渡部側へ向けて下向きに傾斜する中継傾斜搬送手段２７と、中継傾斜搬送手段を下方待機位置と上方搬送位置との間で昇降させるアクチュエータと、を備える。【選択図】図７
2015081150.tif 000002
【特許請求の範囲】
【請求項１】
自身の第一受取部で受け取った搬送物を自身の第一排出部へ搬送する第一搬送手段と、
該第一搬送手段の延長線上に位置し、上記第一搬送手段の上記第一排出部から排出された上記搬送物を受け取る中間受取手段と、
該中間受取手段より下方に位置する下方待機位置と、自身の中継受取部によって上記搬送物を上記中間受取手段から上方に持ち上げかつ持ち上げた上記搬送物を該搬送物の自重を利用して自身の中継引渡部側へ搬送する上方搬送位置と、の間を昇降可能であり、上記中継受取部側から上記中継引渡部側へ向けて下向きに傾斜する中継傾斜搬送手段と、
該中継傾斜搬送手段を上記下方待機位置と上記上方搬送位置との間で昇降させるアクチュエータと、
を備えることを特徴とする搬送装置。
【請求項２】
請求項１記載の搬送装置において、
上記中継傾斜搬送手段が上記上方搬送位置に位置するときは上記中継傾斜搬送手段の下方に位置し、上記搬送物が上記中継引渡部に位置する状態で上記中継傾斜搬送手段が上記下方待機位置に移動したときに、該中継傾斜搬送手段から上記搬送物を受け取りかつ一方の端部側から他方の端部側へ上記搬送物を該搬送物の自重を利用して搬送する、上記一方の端部側から上記他方の端部側に向けて下向きに傾斜する中間受渡手段と、
上記中間受渡手段の延長線上に位置し、上記中間受渡手段の上記他方の端部から排出された上記搬送物を自身の第二受取部で受け取りかつ該搬送物を自身の第二排出部へ搬送する第二搬送手段と、
を備える搬送装置。
【請求項３】
請求項２記載の搬送装置において、
上記第一搬送手段が、上記搬送物を該搬送物の自重を利用して上記第一排出部へ搬送する、上記第一受取部側から上記第一排出部側へ向けて下向きに傾斜する第一傾斜搬送手段であり、
上記第二搬送手段が、上記搬送物を該搬送物の自重を利用して上記第二排出部へ搬送する、上記第二受取部側から上記第二排出部側へ向けて下向きに傾斜する第二傾斜搬送手段である搬送装置。
【請求項４】
請求項３記載の搬送装置において、
上記第一傾斜搬送手段、上記中継傾斜搬送手段、及び上記第二傾斜搬送手段の少なくとも一つが、それぞれの延長方向に沿って並び上記搬送物を下方へ向けて搬送する複数のフリーローラを備える搬送装置。
【請求項５】
請求項２から４のいずれか１項記載の搬送装置において、
上記中間受渡手段が、上記一方の端部側から上記他方の端部側に延びる延長方向に沿って並び上記搬送物を上記他方の端部側へ搬送する複数のフリーローラを備える搬送装置。
【請求項６】
請求項１から５のいずれか１項記載の搬送装置において、
上記中間受取手段が、上記第一搬送手段側の端部側から上記第一搬送手段と反対側の端部側へ向けて下向きに傾斜し、
上記中間受取手段が、自身の傾斜方向に沿って並び上記搬送物を上記第一搬送手段側の端部側から上記第一搬送手段と反対側の端部側へ搬送する複数のフリーローラを備える搬送装置。
【請求項７】
請求項１から６のいずれか１項記載の搬送装置において、
上記搬送物が上記第一搬送手段によって搬送されているときに、該搬送物が上記第一排出部から上記中間受取手段へ排出されるのを許容又は規制するストッパと、
上記アクチュエータと上記ストッパを連係し、上記中継傾斜搬送手段の昇降動作に応じて上記ストッパを、上記搬送物が上記第一排出部から上記中間受取手段へ排出されるのを規制する位置と、上記搬送物が上記第一排出部から上記中間受取手段へ排出されるのを許容する位置とに移動させる連係手段と、
を備える搬送装置。
【請求項８】
第一搬送手段が自身の第一受取部で受け取った搬送物を、自身の第一排出部へ搬送するステップ、
上記第一搬送手段の延長線上に位置する中間受取手段によって、上記第一搬送手段の上記第一排出部から排出された上記搬送物を受け取るステップ、
自身の中継受取部側から自身の中継引渡部側へ向けて下向きに傾斜する中継傾斜搬送手段を、上記搬送物を受け取った上記中間受取手段より下方に位置する下方待機位置に位置させるステップ、及び
上記中継傾斜搬送手段をアクチュエータによって上方搬送位置へ上昇させることにより、上記中継受取部によって上記搬送物を上記中間受取手段から上方に持ち上げかつ上記中継傾斜搬送手段が持ち上げた上記搬送物を該搬送物の自重を利用して上記中継引渡部側へ搬送するステップ、
を有することを特徴とする搬送方法。
【請求項９】
請求項８記載の搬送方法において、
上記中継傾斜搬送手段が上記上方搬送位置に位置するときに、自身の一方の端部側から他方の端部側に向けて下向きに傾斜する中間受渡手段を上記中継傾斜搬送手段の下方に位置させるステップ、
上記搬送物が上記中継引渡部に位置する状態で上記中継傾斜搬送手段を上記下方待機位置へ移動させることにより、上記搬送物を該中継傾斜搬送手段から上記中間受渡手段へ受け渡し、かつ上記中間受渡手段が上記一方の端部側から上記他方の端部側へ上記搬送物を該搬送物の自重を利用して搬送するステップ、及び
上記中間受渡手段の延長線上に位置する第二搬送手段の第二受取部によって上記中間受渡手段の上記他方の端部から排出された上記搬送物を受け取り、かつ上記第二搬送手段が該搬送物を自身の第二排出部へ搬送するステップ、
を有する搬送方法。
【発明の詳細な説明】
【技術分野】
【０００１】
本発明は搬送物（例えば自動車の製造工程で使用する部品）を搬送するための搬送装置及び搬送方法に関する。
【背景技術】
【０００２】
この種の搬送装置の従来例としては例えば図３６に示したものがある。なお、当該搬送装置に関する以下の説明中の前後方向及び左右方向は図３６中の矢線方向を基準としている。
この搬送装置は自動車の製造現場の床面上に設置したものであり、第一傾斜ローラコンベヤと、中継ローラコンベヤと、第二傾斜ローラコンベヤと、を具備している。
第一傾斜ローラコンベヤは左右方向に延びる装置であり、全体が右側から左側に向かって下方に傾斜している。第一傾斜ローラコンベヤはその延長方向に並んだ多数のフリーローラ（図示略）を有している。各フリーローラの回転軸は前後方向に延びている。第二傾斜ローラコンベヤは左右方向に延びる装置であり、全体が左側から右側に向かって下方に傾斜している。第二傾斜ローラコンベヤもその延長方向に並びかつ回転軸が前後方向に延びる多数のフリーローラ（図示略）を有している。
【０００３】
中継ローラコンベヤは前後方向に水平に延びる装置である。中継ローラコンベヤはその延長方向に並びかつ回転軸が左右方向に延びる多数のフリーローラ（図示略）を有している。
また中継ローラコンベヤの周辺部には第一エアシリンダと第二エアシリンダが配設してある。
第一エアシリンダは中継ローラコンベヤの前方に位置しており、その上下位置は中継ローラコンベヤ（フリーローラ）の上面より僅かに上方である。第一エアシリンダは、その軸線が前後方向に延びる第一シリンダと、第一シリンダ内を前後方向にスライド可能かつ第一シリンダの内面に気密状態で摺接する第一ピストンと、第一ピストンから後方に延びる第一スライドロッドと、第一スライドロッドの後端部に設けた第一押圧部と、を備えている。
第二エアシリンダは中継ローラコンベヤの後部の左側に位置しており、その上下位置は中継ローラコンベヤ（フリーローラ）の上面より僅かに上方である。第二エアシリンダは、その軸線が左右方向に延びる第二シリンダと、第二シリンダ内を左右方向にスライド可能かつ第二シリンダの内面に気密状態で摺接する第二ピストンと、第二ピストンから右方に延びる第二スライドロッドと、第二スライドロッドの右端部に設けた第二押圧部と、を備えている。
【０００４】
第一傾斜ローラコンベヤの右端部（第一受取部）にトレイ（搬送物）を載せると、このトレイの重量を受けた第一傾斜ローラコンベヤの各フリーローラが回転するので、トレイが第一傾斜ローラコンベヤ（各フリーローラ）上を左端部側に移動する。
第一傾斜ローラコンベヤの左端部に到達したトレイは、第一傾斜ローラコンベヤの左端部（第一排出部）から中継ローラコンベヤの前端部（中継受取部）に移送される。このトレイに自動車の部品を載せると、第一エアシリンダの第一ピストンがスライドし第一スライドロッドが後方にスライドする。すると第一押圧部が中継ローラコンベヤの各フリーローラを回転させながら、当該トレイ（及び部品）を中継ローラコンベヤの後端部（中継引渡部）まで押圧する。
すると第二エアシリンダの第二ピストンがスライドし、第二スライドロッドが右方にスライドする。すると第二押圧部によってトレイ（及び部品）が右方に押圧されるので、このトレイ（及び部品）が第二傾斜ローラコンベヤの左端部（第二受取部）に移送される。すると当該トレイ（及び部品）の重量を受けた第二傾斜ローラコンベヤの各フリーローラが回転するので、当該トレイ（及び部品）が第二傾斜ローラコンベヤ（各フリーローラ）上を右側に移動し、第二傾斜ローラコンベヤの右端部（第二排出部）から排出される。
【先行技術文献】
【特許文献】
【０００５】
【特許文献１】特開２０１３−４０８８７号公報
【発明の概要】
【発明が解決しようとする課題】
【０００６】
上記搬送装置は、中継ローラコンベヤの前端部（中継受取部）に移送されたトレイ（及び部品）を中継ローラコンベヤの後端部（中継引渡部）に移送する（押し出す）ために、第一スライドロッドが中継ローラコンベヤの後端部まで延びる（伸張量が大きい）第一エアシリンダを用いている。
しかし、第一エアシリンダの伸張量には現実的な限度があるので、中継ローラコンベヤの全長が極めて長い場合は、上記搬送装置では対応できない。
また中継ローラコンベヤの平面形状が曲線形状の場合は、第一エアシリンダの第一スライドロッドを中継ローラコンベヤの後端部（中継引渡部）まで伸張させることができないので、この場合も上記搬送装置では対応できない。
【０００７】
本発明は、中継搬送手段が長い場合や湾曲している場合であっても、搬送手段から中継搬送手段の一端側に搬送された搬送物を、移動量がそれほど大きくないアクチュエータを利用して中継搬送手段の他端側へ搬送することが可能な搬送装置及び搬送方法を提供することを目的とする。
【課題を解決するための手段】
【０００８】
本発明の搬送装置は、自身の第一受取部で受け取った搬送物を自身の第一排出部へ搬送する第一搬送手段と、該第一搬送手段の延長線上に位置し、上記第一搬送手段の上記第一排出部から排出された上記搬送物を受け取る中間受取手段と、該中間受取手段より下方に位置する下方待機位置と、自身の中継受取部によって上記搬送物を上記中間受取手段から上方に持ち上げかつ持ち上げた上記搬送物を該搬送物の自重を利用して自身の中継引渡部側へ搬送する上方搬送位置と、の間を昇降可能であり、上記中継受取部側から上記中継引渡部側へ向けて下向きに傾斜する中継傾斜搬送手段と、該中継傾斜搬送手段を上記下方待機位置と上記上方搬送位置との間で昇降させるアクチュエータと、を備えることを特徴としている。
【０００９】
上記中継傾斜搬送手段が上記上方搬送位置に位置するときは上記中継傾斜搬送手段の下方に位置し、上記搬送物が上記中継引渡部に位置する状態で上記中継傾斜搬送手段が上記下方待機位置に移動したときに、該中継傾斜搬送手段から上記搬送物を受け取りかつ一方の端部側から他方の端部側へ上記搬送物を該搬送物の自重を利用して搬送する、上記一方の端部側から上記他方の端部側に向けて下向きに傾斜する中間受渡手段と、上記中間受渡手段の延長線上に位置し、上記中間受渡手段の上記他方の端部から排出された上記搬送物を自身の第二受取部で受け取りかつ該搬送物を自身の第二排出部へ搬送する第二搬送手段と、を備えてもよい。
【００１０】
上記第一搬送手段が、上記搬送物を該搬送物の自重を利用して上記第一排出部へ搬送する、上記第一受取部側から上記第一排出部側へ向けて下向きに傾斜する第一傾斜搬送手段であり、上記第二搬送手段が、上記搬送物を該搬送物の自重を利用して上記第二排出部へ搬送する、上記第二受取部側から上記第二排出部側へ向けて下向きに傾斜する第二傾斜搬送手段であってもよい。
【００１１】
上記第一傾斜搬送手段、上記中継傾斜搬送手段、及び上記第二傾斜搬送手段の少なくとも一つが、それぞれの延長方向に沿って並び上記搬送物を下方へ向けて搬送する複数のフリーローラを備えてもよい。
【００１２】
上記中間受渡手段が、上記一方の端部側から上記他方の端部側に延びる延長方向に沿って並び上記搬送物を上記他方の端部側へ搬送する複数のフリーローラを備えてもよい。
【００１３】
上記中間受取手段が、上記第一搬送手段側の端部側から上記第一搬送手段と反対側の端部側へ向けて下向きに傾斜し、上記中間受取手段が、自身の傾斜方向に沿って並び上記搬送物を上記第一搬送手段側の端部側から上記第一搬送手段と反対側の端部側へ搬送する複数のフリーローラを備えてもよい。
【００１４】
上記搬送物が上記第一搬送手段によって搬送されているときに、該搬送物が上記第一排出部から上記中間受取手段へ排出されるのを許容又は規制するストッパと、上記アクチュエータと上記ストッパを連係し、上記中継傾斜搬送手段の昇降動作に応じて上記ストッパを、上記搬送物が上記第一排出部から上記中間受取手段へ排出されるのを規制する位置と、上記搬送物が上記第一排出部から上記中間受取手段へ排出されるのを許容する位置とに移動させる連係手段と、を備えてもよい。
【００１５】
本発明の搬送方法は、第一搬送手段が自身の第一受取部で受け取った搬送物を、自身の第一排出部へ搬送するステップ、上記第一搬送手段の延長線上に位置する中間受取手段によって、上記第一搬送手段の上記第一排出部から排出された上記搬送物を受け取るステップ、自身の中継受取部側から自身の中継引渡部側へ向けて下向きに傾斜する中継傾斜搬送手段を、上記搬送物を受け取った上記中間受取手段より下方に位置する下方待機位置に位置させるステップ、及び上記中継傾斜搬送手段をアクチュエータによって上方搬送位置へ上昇させることにより、上記中継受取部によって上記搬送物を上記中間受取手段から上方に持ち上げかつ上記中継傾斜搬送手段が持ち上げた上記搬送物を該搬送物の自重を利用して上記中継引渡部側へ搬送するステップ、を有することを特徴としている。
【００１６】
上記中継傾斜搬送手段が上記上方搬送位置に位置するときに、自身の一方の端部側から他方の端部側に向けて下向きに傾斜する中間受渡手段を上記中継傾斜搬送手段の下方に位置させるステップ、上記搬送物が上記中継引渡部に位置する状態で上記中継傾斜搬送手段を上記下方待機位置へ移動させることにより、上記搬送物を該中継傾斜搬送手段から上記中間受渡手段へ受け渡し、かつ上記中間受渡手段が上記一方の端部側から上記他方の端部側へ上記搬送物を該搬送物の自重を利用して搬送するステップ、及び上記中間受渡手段の延長線上に位置する第二搬送手段の第二受取部によって上記中間受渡手段の上記他方の端部から排出された上記搬送物を受け取り、かつ上記第二搬送手段が該搬送物を自身の第二排出部へ搬送するステップ、を有する。
【発明の効果】
【００１７】
本発明の搬送装置及び搬送方法では、第一搬送手段の第一受取部に載せられた搬送物は第一搬送手段の第一排出部へ移動する。そして、このときアクチュエータが中継傾斜搬送手段を下方待機位置に位置させている場合は、第一搬送手段の第一排出部から排出された搬送物を中間受取手段が受け取る。
この状態でアクチュエータが中継傾斜搬送手段を上方搬送位置に移動させると、中継傾斜搬送手段の中継受取部が搬送物を中間受取手段から上方に持ち上げる。そして持ち上げられた搬送物は自重によって中継傾斜搬送手段の中継引渡部へ移動する。
そのため、中継傾斜搬送手段が長い場合や湾曲している場合であっても、第一搬送手段から中継傾斜搬送手段の中継受取部に搬送された搬送物を、移動量がそれほど大きくないアクチュエータを利用して中継傾斜搬送手段の中継引渡部側へ搬送することが可能である。
【００１８】
請求項２、９の発明のように構成すると、搬送物が中継引渡部へ移動した後にアクチュエータが中継傾斜搬送手段を下方待機位置に移動させると、中間受渡手段が中継傾斜搬送手段から搬送物を受け取る。すると搬送物は自重によって中間受渡手段を一方の端部側から他方の端部側へ移動する。そして、中間受渡手段の他方の端部から排出された搬送物が第二搬送手段の第二受取部に移動し、さらに搬送物が第二搬送手段の第二排出部側へ移動する。
従って、搬送物を第一搬送手段の第一受取部から中継傾斜搬送手段の中継受取部及び中継引渡部を介して第二搬送手段の第二排出部へ移送するために必要なアクチュエータが、中継傾斜搬送手段を昇降させるためのもののみで足りることになる。
従って、従来と比べて装置全体の製造コスト及びランニングコストを低く抑えることが可能である。
【００１９】
請求項３の発明のように構成すると、第一搬送手段と第二搬送手段を駆動させるための動力を用いることなく、第一搬送手段と第二搬送手段によって搬送物を搬送可能になる。
【００２０】
請求項４の発明のように構成すると、第一傾斜搬送手段、中継傾斜搬送手段、及び（又は）第二傾斜搬送手段による搬送物の搬送が円滑になる。
【００２１】
請求項５の発明のように構成すると、中間受渡手段による搬送物の第二搬送手段側への搬送が円滑になる。
【００２２】
請求項６の発明のように構成すると、第一搬送手段から搬送された搬送物を中間受取手段が円滑に受け取れるようになる。
【００２３】
請求項７の発明のように構成すると、搬送物が第一排出部から中間受取手段へ排出されるのを許容又は規制するためのストッパを、中継傾斜搬送手段を昇降させるためのアクチュエータによって動かすことが可能になる。そのため、中継傾斜搬送手段用のアクチュエータとは別にストッパ用のアクチュエータを用いる場合と比べて、装置全体の製造コスト及びランニングコストを低く抑えることが可能である。
【図面の簡単な説明】
【００２４】
【図１】本発明の一実施形態の搬送装置の平面図である。
【図２】搬送装置の正面図である。
【図３】搬送装置の背面図である。
【図４】支持壁を省略して示す搬送装置の左側面図である。
【図５】第一傾斜ローラコンベヤとエアシリンダと連係手段の平面図である。
【図６】第一傾斜ローラコンベヤとエアシリンダと連係手段の正面図である。
【図７】中継傾斜ローラコンベヤが上方搬送位置へ上昇したときの搬送装置の平面図である。
【図８】図７と同じ状態にあるときの搬送装置の正面図である。
【図９】図７と同じ状態にあるときの搬送装置の背面図である。
【図１０】図７と同じ状態にあるときの支持壁を省略して示す搬送装置の左側面図である。
【図１１】中継傾斜ローラコンベヤ上に位置するトレイが中継引渡部まで移動したときの搬送装置の平面図である。
【図１２】図１１と同じ状態にあるときの搬送装置の正面図である。
【図１３】図１１と同じ状態にあるときの搬送装置の背面図である。
【図１４】図１１と同じ状態にあるときの支持壁を省略して示す搬送装置の左側面図である。
【図１５】図１１と同じ状態にあるときの第一傾斜ローラコンベヤとエアシリンダと連係手段の平面図である。
【図１６】第一傾斜ローラコンベヤとエアシリンダと連係手段の正面図、及び、エアシリンダと連係手段の一部の拡大図である。
【図１７】中継傾斜ローラコンベヤが下方待機位置側（上方搬送位置と下方待機位置の中間位置）まで下降したときの搬送装置の平面図である。
【図１８】図１７と同じ状態にあるときの搬送装置の正面図である。
【図１９】図１７と同じ状態にあるときの搬送装置の背面図である。
【図２０】図１７と同じ状態にあるときの支持壁を省略して示す搬送装置の左側面図である。
【図２１】中継傾斜ローラコンベヤが下方待機位置まで下降したときの搬送装置の平面図である。
【図２２】図２１と同じ状態にあるときの搬送装置の正面図である。
【図２３】図２１と同じ状態にあるときの搬送装置の背面図である。
【図２４】図２１と同じ状態にあるときの支持壁を省略して示す搬送装置の左側面図である。
【図２５】図２１と同じ状態にあるときの第一傾斜ローラコンベヤとエアシリンダと連係手段の平面図である。
【図２６】図２１と同じ状態にあるときの第一傾斜ローラコンベヤとエアシリンダと連係手段の正面図である。
【図２７】第一の変形例の図１と同じ状態にあるときのエアシリンダと連係手段とストッパの平面図である。
【図２８】同じくエアシリンダと連係手段とストッパの正面図である。
【図２９】同じくエアシリンダと連係手段の左側面図である。
【図３０】図７と同じ状態にあるときのエアシリンダと連係手段とストッパの平面図である。
【図３１】図７と同じ状態にあるときのエアシリンダと連係手段とストッパの正面図である。
【図３２】図７と同じ状態にあるときのエアシリンダと連係手段の左側面図である。
【図３３】第二の変形例の図１と同じ状態にあるときのエアシリンダと連係手段とストッパの平面図である。
【図３４】第三の変形例の搬送装置の模式的な平面図である。
【図３５】第四の変形例の搬送装置の模式的な平面図である。
【図３６】従来例の搬送装置の平面図である。
【発明を実施するための形態】
【００２５】
以下、本発明の一実施形態を図１−図２６を参照しながら説明する。なお、以下の説明中の前後方向、上下方向、及び左右方向は、図中の矢線方向を基準としている。
本実施形態の搬送装置１０は自動車の製造現場の床面上に設置したものであり、自動車の構成部品を搬送するためのものである。
搬送装置１０は大きな構成要素として第一傾斜ローラコンベヤ１５、昇降手段２０、中継傾斜ローラコンベヤ２７、中間受取コンベヤ３２、中間受渡コンベヤ４０、第二傾斜ローラコンベヤ４５、連係手段５０、及びストッパ５６を具備している。
【００２６】
上記床面には左右一対の支持部材１４が固定してあり、左右の支持部材１４の上端部が第一傾斜ローラコンベヤ１５（第一搬送手段）（第一傾斜搬送手段）を支持している。第一傾斜ローラコンベヤ１５は平面視で左右方向に直線的に延びかつ正面視で右側から左側に向かうにつれて下向きに傾斜する底板（図示略）を具備しており、この底板の二カ所が左右の支持部材１４の上端部に固定してある。この底板の前後両縁部には底板の全長に渡って底板と平行な方向に延びる一対の支持壁１６の下縁部が固定してある。前後の支持壁１６の間には多数のフリーローラ１７が回転可能に支持してある。各フリーローラ１７は上記底板及び支持壁１６の延長方向に沿って等間隔で並んでいる。各フリーローラ１７は前後方向に延びる回転軸回りに回転可能であり、各フリーローラ１７の回転軸の前後両端部が前後の支持壁１６に固定状態で支持してある。第一傾斜ローラコンベヤ１５は、その右端部（第一受取部１５Ａ）で受け取った搬送物（トレイ６０）を、搬送物の自重を利用しながらその左端部（第一排出部１５Ｂ）側へ搬送するものである。
【００２７】
昇降手段２０は上記床面に固定した側面視矩形の支持台２１と、支持台２１に支持したエアシリンダ２２と、を備えている。
エアシリンダ２２（アクチュエータ）は、その軸線が上下方向に延びかつ支持台２１に固定したシリンダ２３と、シリンダ２３内を上下方向にスライド可能かつシリンダ２３内面に気密状態で摺接するピストン（図示略）と、ピストンから上方に延びてその上部がシリンダ２３の上面をスライド可能に貫通するスライドロッド２４と、スライドロッド２４の上端に固定した支持部２５と、スライドロッド２４の中間部に固定した挟持板２６（図１６参照）と、を備えている。
【００２８】
エアシリンダ２２の支持部２５には中継傾斜ローラコンベヤ２７（中継傾斜搬送手段）が固定してある。
中継傾斜ローラコンベヤ２７は平面視で前後方向に直線的に延びかつ左側面視で前側から後側に向かうにつれて下向きに傾斜する底板２８を具備しており、この底板２８の下面の長手方向の中央部に支持部２５が固定してある。底板２８の左縁部には底板２８の全長に渡って底板２８と平行な方向に延びる支持壁２９の下縁部が固定してある。また底板２８の後縁部にはストッパ壁２９ａの下縁部が固定してあり、底板２８の前縁部には落下防止壁２９ｂの下縁部が固定してある。支持壁２９には多数のフリーローラ３０が回転可能に支持してある。各フリーローラ３０は底板２８及び支持壁２９の延長方向に沿って並んでいる。大部分の隣接するフリーローラ３０どうしの間隔は同じであるが、中継傾斜ローラコンベヤ２７の４カ所には隣接するフリーローラ３０どうしの間隔がその他（大部分のフリーローラ３０）と比べて広い広幅間隙３１が形成してある。各フリーローラ３０は、左右方向に延びる回転軸回りに回転可能であり、各フリーローラ３０の回転軸の左端部が支持壁２９に固定状態で支持してある。
図示するように平面視において中継傾斜ローラコンベヤ２７の前端部は第一傾斜ローラコンベヤ１５の左端部の左側に位置している。エアシリンダ２２のシリンダ２３が短縮位置（図２、図４、図２２、図２４）に位置するとき中継傾斜ローラコンベヤ２７は下方待機位置に位置し、エアシリンダ２２のシリンダ２３が伸張位置（図８、図１０、図１２、図１４）に位置するとき中継傾斜ローラコンベヤ２７は上方搬送位置に位置する。
この中継傾斜ローラコンベヤ２７は、その前端部（中継受取部２７Ａ）で受け取った搬送物（トレイ６０、部品６２）を、搬送物の自重を利用しながらその後端部（中継引渡部２７Ｂ）側へ搬送するものである。
【００２９】
さらに支持台２１には中間受取コンベヤ３２と中間受渡コンベヤ４０が設けてある。
平面視で第一傾斜ローラコンベヤ１５の延長線上に位置する中間受取コンベヤ３２は、第一ローラコンベヤ３３と第一ローラコンベヤ３３の後方に位置する第二ローラコンベヤ３７を備えている。
第一ローラコンベヤ３３は、支持台２１から上方に延びる支持脚３４と、支持脚３４の上端で支持した底板（中間受取手段）と、この底板の前後両縁部に底板の全長に渡って固定した一対の支持壁３５（中間受取手段）と、を備えている。底板は平面視で左右方向に直線的に延びかつ正面視で右側から左側に向かうにつれて下向きに傾斜しており、前後の支持壁３５はこの底板と平行方向に延びている。左右の支持壁３５の間には多数のフリーローラ３６（中間受取手段）が回転可能に支持してある。各フリーローラ３６の前後幅はフリーローラ１７より狭く、各フリーローラ３６は当該底板及び支持壁３５の延長方向（傾斜方向）に沿って等間隔で並んでいる。各フリーローラ３６は前後方向に延びる回転軸回りに回転可能であり、各フリーローラ３６の回転軸の前後両端部が前後の支持壁３５に固定状態で支持してある。また第一ローラコンベヤ３３の左端部には端部ストッパ（図示略。停止手段）が設けてある。
第二ローラコンベヤ３７の構造は第一ローラコンベヤ３３と同じである（端部ストッパ（停止手段）も具備している）。図２、図８、図１８、図２２に示すように第一ローラコンベヤ３３及び第二ローラコンベヤ３７の延長方向（傾斜方向）は第一傾斜ローラコンベヤ１５の延長方向（傾斜方向）と同一であり、第一傾斜ローラコンベヤ１５の各フリーローラ１７の延長線上に第一ローラコンベヤ３３及び第二ローラコンベヤ３７（のフリーローラ３６）が位置している。
【００３０】
平面視で第二傾斜ローラコンベヤ４５の延長線上に位置する中間受渡コンベヤ４０は、第一ローラコンベヤ４１と第一ローラコンベヤ４１の後方に位置する第二ローラコンベヤ４２を備えている。第一ローラコンベヤ４１及び第二ローラコンベヤ４２の基本構造は第一ローラコンベヤ３３と同じである。但し、第一ローラコンベヤ４１及び第二ローラコンベヤ４２の支持脚３４が第一ローラコンベヤ３３及び第二ローラコンベヤ３７の支持脚３４より短い（低い）。そのため図４に示すように、第一ローラコンベヤ４１及び第二ローラコンベヤ４２のフリーローラ３６（中間受渡手段）は、第一ローラコンベヤ３３及び第二ローラコンベヤ３７のフリーローラ３６よりやや低い位置に位置する。また第一ローラコンベヤ４１及び第二ローラコンベヤ４２の底板（中間受渡手段）及び支持壁３５（中間受渡手段）の傾斜方向（各フリーローラ３６の並び方向）は第一ローラコンベヤ３３及び第二ローラコンベヤ３７とは逆向きである（平面視で左右方向に直線的に延びかつ正面視で左側から右側に向かうにつれて下向きに傾斜する）。
エアシリンダ２２のシリンダ２３が短縮位置に位置することにより中継傾斜ローラコンベヤ２７が下方待機位置に位置するとき、第一ローラコンベヤ３３、第二ローラコンベヤ３７、第一ローラコンベヤ４１、及び第二ローラコンベヤ４２の支持脚３４が中継傾斜ローラコンベヤ２７の各広幅間隙３１を通ってフリーローラ３０の上方に突出するので、中間受取コンベヤ３２及び中間受渡コンベヤ４０のフリーローラ３６はフリーローラ３０（中継傾斜ローラコンベヤ２７）の上方に位置する（図２、図４、図２２、図２４）。一方、エアシリンダ２２のシリンダ２３が伸張位置（図８、図１０、図１２、図１４）に位置することにより中継傾斜ローラコンベヤ２７が上方搬送位置に位置するとき、第一ローラコンベヤ３３、第二ローラコンベヤ３７、第一ローラコンベヤ４１、及び第二ローラコンベヤ４２の支持脚３４が中継傾斜ローラコンベヤ２７（の各広幅間隙３１）より下方に位置するので、中間受取コンベヤ３２及び中間受渡コンベヤ４０のフリーローラ３６はフリーローラ３０（中継傾斜ローラコンベヤ２７）の下方に位置する（図８、図１０、図１２、図１４）。
【００３１】
上記床面には左右の支持部材１４と前後方向に対向する左右一対の支持部材４４が固定してあり、左右の支持部材４４の上端部が第二傾斜ローラコンベヤ４５（第二搬送手段）（第二傾斜搬送手段）を支持している。第二傾斜ローラコンベヤ４５は平面視で左右方向に直線的に延びかつ正面視で左側から右側に向かうにつれて下向きに傾斜する底板（図示略）を具備しており、この底板の二カ所が左右の支持部材４４の上端部に固定してある。この底板の前後両縁部には底板の全長に渡って底板と平行な方向に延びる一対の支持壁４６の下縁部が固定してある。前後の支持壁４６の間には多数のフリーローラ４７が回転可能に支持してある。各フリーローラ４７は上記底板及び支持壁４６の延長方向に沿って等間隔で並んでいる。各フリーローラ４７はフリーローラ１７と同一仕様である。フリーローラ４７は前後方向に延びる回転軸回りに回転可能であり、各フリーローラ４７の回転軸の前後両端部が前後の支持壁４６に固定状態で支持してある。
図３、図１９に示すように第一ローラコンベヤ４１及び第二ローラコンベヤ４２の延長方向（傾斜方向）は第二傾斜ローラコンベヤ４５の延長方向（傾斜方向）と同一であり、第二傾斜ローラコンベヤ４５の各フリーローラ４７の延長線上に第一ローラコンベヤ４１及び第二ローラコンベヤ４２（のフリーローラ３６）が位置している。
この第二傾斜ローラコンベヤ４５は、その左端部（第二受取部４５Ａ）で受け取った搬送物（トレイ６０、部品６２）を、搬送物の自重を利用しながらその右端部（第二排出部４５Ｂ）側へ搬送するものである。
【００３２】
連係手段５０は、被挟持ローラ５１、連結部材５２、第一傘歯車５３、及び第二傘歯車５４を備えている。
連係手段５０の被挟持ローラ５１はその回転軸が前後方向に延びるものであり、その外周面がシリンダ２３の支持部２５と挟持板２６によって（微少角度だけ）相対回転可能かつ左右方向に（微少）スライド可能に挟持されている。被挟持ローラ５１には直線的に延びる連結部材５２の左端部が固定してあり、連結部材５２の右端部には回転軸が前後方向に延びる第一傘歯車５３（マイタギヤ）が固定してある。この第一傘歯車５３は図示を省略した支持手段によって回転可能かつ上下方向及び水平方向に移動不能に支持されている。回転軸が上下方向に延びかつ第一傘歯車５３と噛合する第二傘歯車５４（マイタギヤ）の歯数は第一傘歯車５３の歯数と同数である。この第二傘歯車５４も上記支持手段によって回転可能かつ上下方向及び水平方向に移動不能に支持されている。
【００３３】
第二傘歯車５４は第二傘歯車５４の上記回転軸に沿って延びる連結部５４ａを備えており、連結部５４ａの上端部にはストッパ５６が固定してある。ストッパ５６は第一係止爪５７と第二係止爪５８を備えており、ストッパ５６（第一係止爪５７、第二係止爪５８）は第一傾斜ローラコンベヤ１５のフリーローラ１７より僅かに上方に位置している。
エアシリンダ２２のスライドロッド２４が短縮位置に位置するとき、ストッパ５６は図１、図２１に示す第一係止位置に位置し第一係止爪５７がフリーローラ１７の直上に位置する。一方、エアシリンダ２２のシリンダ２３が伸張位置に移動すると、被挟持ローラ５１が支持部２５と挟持板２６の間を僅かに左右移動しながら（微少角度だけ）相対回転するので、連結部材５２が第一傘歯車５３の回転軸を中心に回転する。すると第一傘歯車５３が自身の回転軸回りに回転し、第一傘歯車５３と噛合している第二傘歯車５４が自身の回転軸（連結部５４ａ）回りに回転するので、連結部５４ａと一体化しているストッパ５６が図７、図１１に示す第二係止位置まで回転し第二係止爪５８がフリーローラ１７（前端部）の直上に位置する。この後にエアシリンダ２２のスライドロッド２４が短縮位置に復帰すると、被挟持ローラ５１が支持部２５と挟持板２６の間を僅かに左右移動しながら（微少角度だけ）相対回転し連結部材５２が第一傘歯車５３の回転軸を中心に回転するので、第一傘歯車５３と噛合している第二傘歯車５４が自身の回転軸（連結部５４ａ）回りに回転し、その結果、ストッパ５６は図１、図２１に示す第一係止位置に戻る。
【００３４】
続いて搬送装置１０の動作について説明する。
図１−図６は、エアシリンダ２２のシリンダ２３が短縮位置に位置することにより中継傾斜ローラコンベヤ２７が下方待機位置に位置し、かつ、ストッパ５６が第一係止位置に位置する状態を示している。このときストッパ５６の第一係止爪５７が第一傾斜ローラコンベヤ１５（フリーローラ１７）上に位置するトレイ６０（６０Ａ）（搬送物）の前面に形成された第一被係止部（図示略）に係止することにより、トレイ６０（６０Ａ）及びこのトレイ６０の右側に位置する別のトレイ６０が自重を利用しながら第一傾斜ローラコンベヤ１５（フリーローラ１７）上を左斜め下方に移動するのを規制している。
また図１−図６は第一傾斜ローラコンベヤ１５の左端部から排出されたトレイ６０（６０Ｂ）が中間受取コンベヤ３２（第一ローラコンベヤ３３、第二ローラコンベヤ３７）のフリーローラ３６に乗り移り、第一ローラコンベヤ３３、第二ローラコンベヤ３７の上記端部ストッパによってトレイ６０（６０Ｂ）のそれ以上の左側へのスライドが規制された状態を示している。
トレイ６０（６０Ｂ）が中間受取コンベヤ３２（第一ローラコンベヤ３３、第二ローラコンベヤ３７）のフリーローラ３６に乗り移ると、中継傾斜ローラコンベヤ２７の前端部近傍に配設したセンサ（図示略）がこのことを検知し、該センサが接続している部品移送装置に信号を送り、該部品移送装置が自動車の部品６２（搬送物）をトレイ６０（６０Ｂ）に載せる。さらにセンサはエアシリンダ２２に接続している圧縮空気源（図示略）に伸張動作信号を送る。すると上記圧縮空気源がエアシリンダ２２のシリンダ２３に圧縮空気を注入するので、エアシリンダ２２のスライドロッド２４が伸張位置まで瞬時にスライドし、これに伴い中継傾斜ローラコンベヤ２７が上方搬送位置まで上昇する（図７−図１０）。
すると中継傾斜ローラコンベヤ２７（フリーローラ３０）の前端部の上面がトレイ６０（６０Ｂ）を中間受取コンベヤ３２（第一ローラコンベヤ３３、第二ローラコンベヤ３７）から上方に持ち上げる（中間受取コンベヤ３２から上方に離間させる）。そしてトレイ６０（６０Ｂ）は自身の自重によって、中継傾斜ローラコンベヤ２７の各フリーローラ３０を回転させながら各フリーローラ３０上（中継傾斜ローラコンベヤ２７上）を後斜め下方にスライドする。さらにエアシリンダ２２のスライドロッド２４が伸張位置に移動するのに伴って、第一係止位置に位置していたストッパ５６が第二係止位置まで回転するので、ストッパ５６の第一係止爪５７による上記第一被係止部に対する係止が解除されたトレイ６０（６０Ａ）が、自重を利用して各フリーローラ１７を回転させながら第一傾斜ローラコンベヤ１５（フリーローラ１７）上を左斜め下方にスライドする。
【００３５】
そして図１１−図１６に示すように、中継傾斜ローラコンベヤ２７の後端部までスライドしたトレイ６０（６０Ｂ）がストッパ壁２９ａに当接することによりトレイ６０（６０Ｂ）のスライド動作が停止する。
また第二係止位置まで回転したストッパ５６の第二係止爪５８に対して、トレイ６０（６０Ａ）の前面に形成された第二被係止部（図示略。第一被係止部より左方に設けてある）が係止するので、トレイ６０（６０Ａ）のそれ以上の左斜め下方へのスライドが規制される。
【００３６】
そして上記センサから圧縮空気源に伸張動作信号を送られてから所定時間が経過したときに（トレイ６０（６０Ｂ）がストッパ壁２９ａに当接しかつストッパ５６の第二係止爪５８に対してトレイ６０（６０Ａ）の第二被係止部が係止した後）、上記センサが圧縮空気源に短縮動作信号を送るので、伸張位置に位置していたスライドロッド２４が短縮位置側へ短縮し、上方搬送位置に位置していた中継傾斜ローラコンベヤ２７が下方待機位置側に下降する（図１７−図２０）。
そのため中継傾斜ローラコンベヤ２７の後端部に載っていたトレイ６０（６０Ｂ）が中間受渡コンベヤ４０（第一ローラコンベヤ４１、第二ローラコンベヤ４２）に乗り移り、トレイ６０（６０Ｂ）が自重によって第一ローラコンベヤ４１及び第二ローラコンベヤ４２のフリーローラ３６を回転させながら、第一ローラコンベヤ４１及び第二ローラコンベヤ４２を右斜め下方にスライドし、第二傾斜ローラコンベヤ４５（フリーローラ４７）の左端部（第二受取部４５Ａ）に乗り移る。
また第一傾斜ローラコンベヤ１５の左端部（第一排出部１５Ｂ）から排出されたトレイ６０（６０Ａ）が中間受取コンベヤ３２（第一ローラコンベヤ３３、第二ローラコンベヤ３７）のフリーローラ３６に乗り移り、第一ローラコンベヤ３３及び第二ローラコンベヤ３７の上記端部ストッパによってトレイ６０（６０Ａ）のそれ以上の左側へのスライドが規制される。そしてこれを検知した上記センサが上記部品移送装置に信号を送り、該部品移送装置が部品６２をトレイ６０（６０Ａ）に載せる。
さらにスライドロッド２４の短縮位置側へのスライド動作に伴って、第二係止位置に位置していたストッパ５６が第一係止位置側に回転し、第一係止爪５７及び第二係止爪５８がトレイ６０（第一被係止部及び第二被係止部）と係止不能な位置に移動する。
【００３７】
そしてスライドロッド２４が短縮位置まで短縮しかつ中継傾斜ローラコンベヤ２７が下方待機位置まで下降すると、図２１−図２６に示すように、トレイ６０（６０Ｂ）が第二傾斜ローラコンベヤ４５（フリーローラ４７）側に完全に乗り移り、自重を利用して各フリーローラ４７を回転させながら第二傾斜ローラコンベヤ４５上を右斜め下方にスライドする。さらに第一係止位置まで回転したストッパ５６の第一係止爪５７に対してトレイ６０（６０Ｃ）の第一被係止部が係止するので、トレイ６０（６０Ｃ）のそれ以上の左斜め下方へのスライドが規制される。
【００３８】
以上説明したように本実施形態の搬送装置１０では、エアシリンダ２２によって中継傾斜ローラコンベヤ２７を昇降させることにより、中継傾斜ローラコンベヤ２７（フリーローラ３０）の前端部（中継受取部２７Ａ）に移送されたトレイ６０（部品６２）を中継傾斜ローラコンベヤ２７の後端部（中継引渡部２７Ｂ）へ搬送している。そのため、中継傾斜ローラコンベヤ２７の全長が長い場合であっても、伸張量がそれほど大きくないエアシリンダ２２によって、トレイ６０（部品６２）を継傾斜ローラコンベヤ２７の前端部（中継受取部２７Ａ）から後端部（中継引渡部２７Ｂ）へ搬送できる。
さらにトレイ６０（部品６２）を第一傾斜ローラコンベヤ１５から第二傾斜ローラコンベヤ４５側へ移送するためにエアシリンダ２２によって中継傾斜ローラコンベヤ２７を昇降させているが、中継傾斜ローラコンベヤ２７を昇降させるためのアクチュエータがエアシリンダ２２のみで足りるので、従来と比べて搬送装置１０の製造コスト及びランニングコストを低く抑えることが可能である。
【００３９】
さらに、トレイ６０が第一傾斜ローラコンベヤ１５の左端部（第一排出部１５Ｂ）から中間受取コンベヤ３２へ移動するのを許容又は規制するためのストッパ５６を、中継傾斜ローラコンベヤ２７を昇降させるためのアクチュエータ（エアシリンダ２２）の動力及び連係手段５０を利用して動かしている。そのため中継傾斜ローラコンベヤ２７用のアクチュエータとは別にストッパ５６用のアクチュエータを用いる場合と比べて、搬送装置１０の製造コスト及びランニングコストを低く抑えることが可能である。
【００４０】
以上、本発明を上記実施形態に基づいて説明したが、本発明は上記実施形態に限定されるものではなく、様々な変形を施しながら実施可能である。
例えば図２７−図３２に示す第一の変形例の態様で実施可能である。
この連係手段６５のストッパ５６は上下方向に延びる固定式の回転支持軸６６に回転可能に支持してあり、さらに一端を固定部材（図示略）に係止した引張バネ６７の他端をストッパ５６の回転支持軸６６より第二係止爪５８側の部位に係止している。そのためストッパ５６に対して引張バネ６７以外の外力を付与しないとき、ストッパ５６は図２７、図２８に示す第一係止位置に位置する。エアシリンダ２２の支持部２５には可撓性を有するワイヤ６８の一端が固定してあり、ワイヤ６８の他端はストッパ５６の回転支持軸６６より第一係止爪５７側の部位に固定してある。さらにワイヤ６８の中間部は４つのプーリ６９、７０、７１、７２に掛け回してある。各プーリ６９、７０、７１、７２はそれぞれの固定回転中心軸（図２７−図２９中の一点鎖線を参照）回りに回転可能である。
エアシリンダ２２のスライドロッド２４が短縮位置に位置するとき、ワイヤ６８からストッパ５６には引張力が及ばないので、ストッパ５６は引張バネ６７の付勢力によって第一係止位置に位置する（図２７、図２８参照）。一方、エアシリンダ２２のスライドロッド２４が伸張位置に移動するとワイヤ６８からストッパ５６に引張力が及ぶので、ストッパ５６は引張バネ６７の付勢力に抗して第二係止位置に位置する（図３０、図３１参照）。
そのため本変形例においても上記実施形態と同様の作用効果を発揮可能である。
【００４１】
図３３に示す第二の変形例の連係手段７５は連係手段５０と類似する構造であるが、連結部材５２の右端部である支持部２５と反対側の端部には突出軸７６が固定状態で突設してあり、突出軸７６と第一傘歯車５３をユニバーサルジョイント７７が接続している（連係手段７５の第一傘歯車５３及び第二傘歯車５４は上記支持手段によって上記実施形態と同様の態様で支持してある）。
このように突出軸７６と第一傘歯車５３をユニバーサルジョイント７７で接続すると、突出軸７６と第一傘歯車５３の軸ズレをユニバーサルジョイント７７によって吸収できるので、連係手段７５を（連係手段５０に比べて）より円滑に動作させることが可能になる。
【００４２】
さらに第一傾斜ローラコンベヤ１５や第二傾斜ローラコンベヤ４５は平面視で直線形状である必要はなく、例えば図３４に示す第三の変形例の第一傾斜ローラコンベヤ１５’（第一搬送手段）（第一傾斜搬送手段）や第二傾斜ローラコンベヤ４５’（第二搬送手段）（第二傾斜搬送手段）のように平面視で湾曲形状（略円弧状）であってもよい（第一傾斜ローラコンベヤ１５’や第二傾斜ローラコンベヤ４５’はこれらの延長方向に並ぶ多数のフリーローラ１７、４７を備えている。図３４中の矢線は搬送物の流れを示している）。
また図３５に示す第四の変形例のように、第一傾斜ローラコンベヤ１５（１５’）と第二傾斜ローラコンベヤ４５（４５’）を中継傾斜ローラコンベヤ２７を挟んで互いに反対側に位置させてもよい（図３５中の矢線は搬送物の流れを示している）。
さらに図示は省略してあるが中継傾斜ローラコンベヤ２７を平面視で湾曲形状をなすものに変更してもよい。
【００４３】
また図示は省略してあるが、第一傾斜ローラコンベヤ１５（１５’）、中継傾斜ローラコンベヤ２７、中間受取コンベヤ３２（第一ローラコンベヤ３３、第二ローラコンベヤ３７）、中間受渡コンベヤ４０（第一ローラコンベヤ４１、第二ローラコンベヤ４２）、及び第二傾斜ローラコンベヤ４５（４５’）の少なくとも一つからフリーローラ１７、３０、３６、４７を省略し、その上面を（搬送物が滑りながら移動する）傾斜平面により構成してもよい。
さらに第一傾斜ローラコンベヤ１５（１５’）や第二傾斜ローラコンベヤ４５（４５’）を動力式の搬送手段としてもよい。即ち、これらのフリーローラ１７、４７を動力によって回転するローラに置き換えたり、或いはベルトコンベヤ等にしてもよい。なお、このように動力式にする場合は、第一傾斜ローラコンベヤ１５（１５’）や第二傾斜ローラコンベヤ４５（４５’）を一方の端部から他方の端部へ向かうにつれて下方に傾斜させる必要はなく、水平方向に延びるものとして構成することが可能である。
【００４４】
さらにエアシリンダ２２の代わりに別タイプのアクチュエータを利用して中継傾斜ローラコンベヤ２７を昇降させてもよい。例えば、エアシリンダ２２の代わりに油圧シリンダを用いてもよい。またモータ（アクチュエータ）により上下方向に延びるスピンドルをその軸線回りに回転させ、このスピンドルを底板２８に固定したナットに螺合させて、スピンドルの回転によって底板２８を昇降させてもよい。さらに上下に離間した複数のスプロケットに、自身の一部を底板２８に対して固定した環状のベルト（又はチェーン）を掛け回し、少なくとも一つのスプロケットをモータ（アクチュエータ）により回転させて、ベルト（又はチェーン）の上下動に連動させて底板２８を昇降させてもよい。
また搬送装置１０から中間受渡コンベヤ４０（中間受渡手段）と第二傾斜ローラコンベヤ４５、４５’（第二搬送手段）を省略してもよい。
さらに搬送装置１０を自動車の構成部品（及びトレイ）とは異なる搬送物を搬送するためのものとして利用してもよい。
【符号の説明】
【００４５】
１０    搬送装置
１４    支持部材
１５  １５’  第一傾斜ローラコンベヤ（第一搬送手段）（第一傾斜搬送手段）
１５Ａ  第一受取部
１５Ｂ  第一排出部
１６    支持壁
１７    フリーローラ
２０    昇降手段
２１    支持台
２２    エアシリンダ（アクチュエータ）
２３    シリンダ
２４    スライドロッド
２５    支持部
２６    挟持板
２７    中継傾斜ローラコンベヤ（中継傾斜搬送手段）
２７Ａ  中継受取部
２７Ｂ  中継引渡部
２８    底板
２９    支持壁
２９ａ  ストッパ壁
２９ｂ  落下防止壁
３０    フリーローラ
３１    広幅間隙
３２    中間受取コンベヤ
３３    第一ローラコンベヤ
３４    支持脚
３５    支持壁（中間受取手段）（中間受渡手段）
３６    フリーローラ（中間受取手段）（中間受渡手段）
３７    第二ローラコンベヤ
４０    中間受渡コンベヤ
４１    第一ローラコンベヤ
４２    第二ローラコンベヤ
４４    支持部材
４５  ４５’  第二傾斜ローラコンベヤ（第二搬送手段）（第二傾斜搬送手段）
４５Ａ  第二受取部
４５Ｂ  第二排出部
４６    支持壁
４７    フリーローラ
５０    連係手段
５１    被挟持ローラ
５２    連結部材
５３    第一傘歯車（マイタギヤ）
５４    第二傘歯車（マイタギヤ）
５４ａ  連結部
５６    ストッパ
５７    第一係止爪
５８    第二係止爪
６０  ６０Ａ  ６０Ｂ  ６０Ｃ  トレイ（搬送物）
６２    部品（搬送物）
６５    連係手段
６６    回転支持軸
６７    引張バネ
６８    ワイヤ
６９  ７０  ７１  ７２  プーリ
７５    連係手段
７６    突出軸
７７    ユニバーサルジョイント
【図１】
2015081150.tif 000003
【図２】
2015081150.tif 000004
【図３】
2015081150.tif 000005
【図４】
2015081150.tif 000006
【図５】
2015081150.tif 000007
【図６】
2015081150.tif 000008
【図７】
2015081150.tif 000009
【図８】
2015081150.tif 000010
【図９】
2015081150.tif 000011
【図１０】
2015081150.tif 000012
【図１１】
2015081150.tif 000013
【図１２】
2015081150.tif 000014
【図１３】
2015081150.tif 000015
【図１４】
2015081150.tif 000016
【図１５】
2015081150.tif 000017
【図１６】
2015081150.tif 000018
【図１７】
2015081150.tif 000019
【図１８】
2015081150.tif 000020
【図１９】
2015081150.tif 000021
【図２０】
2015081150.tif 000022
【図２１】
2015081150.tif 000023
【図２２】
2015081150.tif 000024
【図２３】
2015081150.tif 000025
【図２４】
2015081150.tif 000026
【図２５】
2015081150.tif 000027
【図２６】
2015081150.tif 000028
【図２７】
2015081150.tif 000029
【図２８】
2015081150.tif 000030
【図２９】
2015081150.tif 000031
【図３０】
2015081150.tif 000032
【図３１】
2015081150.tif 000033
【図３２】
2015081150.tif 000034
【図３３】
2015081150.tif 000035
【図３４】
2015081150.tif 000036
【図３５】
2015081150.tif 000037
【図３６】
2015081150.tif 000038